(57)【特許請求の範囲】
【請求項１】
着信時に、制御部を有する通信端末装置と複数の電話機へのダイヤルイン・サービスの回線制御を実行して、交換局側から受ける内線指定に従って前記通信端末装置のデータ通信動作を起動、または前記電話機への着信を報知して備え付けの電話機のオフフックにより通話状態に制御する通信端末のダイヤルイン回線接続装置において、
商用電源の停電を検出する停電検出回路と、
前記停電検出回路による停電検出時の着信時にダイヤルイン・サービスの回線制御を実行するダイヤラＣＰＵと、
電話回線から受信する呼び出し信号の交流電源を整流し平滑化した直流電源を前記ダイヤラＣＰＵに供給する平滑回路と、
前記停電検出回路による停電検出時に前記ダイヤラＣＰＵからの指令に基づきに前記ダイヤラＣＰＵにのみ電源を供給するバッテリーとを備え、
前記ダイヤラＣＰＵは、電話回線から前記平滑回路を介して供給される直流電源により動作して、前記停電検出回路が商用電源の停電を検出すると、前記バッテリーより電源の供給を受けて、前記通信端末装置を除く複数の電話機へのダイヤルイン・サービスの回線制御を実行し、電話機のオフフックにより、前記バッテリーからの電源の供給を停止することを特徴とする通信端末のダイヤルイン回線接続装置。
【請求項２】
停電時、前記ダイヤラＣＰＵが着信を検知して動作を開始する前に前記電話機がオフフックされた場合でも、前記ダイヤラＣＰＵは、前記ダイヤルイン・サービスの回線制御を実行して前記電話機を通話状態に制御することを特徴とする請求項１記載の通信端末のダイヤルイン回線接続装置。
【請求項３】
停電時、ダイヤルイン・サービスの内線指定が前記通信端末装置であった場合、代行動作として電話着信を報知して備え付けの電話機のオフフックにより通話状態に制御することを特徴とする請求項１記載の通信端末のダイヤルイン回線接続装置。
【請求項４】
前記代行動作を実行するかしないかを予め設定する手段を備え、前記代行動作を実行しない場合には、着信に応答しないことを特徴とする請求項４記載の通信端末のダイヤルイン回線接続装置。
【請求項５】
前記停電期間中の着信の報知は、前記バッテリーにて小さい電力で動作するブザーを鳴動させることにより実行することを特徴とする請求項１記載の通信端末のダイヤルイン回線接続装置。
【発明の詳細な説明】
【０００１】
【産業上の利用分野】
本発明は、ＰＳＴＮ（Ｐｕｂｌｉｃ  Ｓｗｉｔｃｈｅｄ  ＴｅｌｅｐｈｏｎｅＮｅｔｗｏｒｋ）のダイヤルイン・サービスを利用し、着信時に交換局側から受ける内線指定に従って、データ通信の動作、または電話機の応答動作を実行する通信端末装置のダイヤルイン回線接続方法に関する。
【０００２】
【従来の技術】
ＰＳＴＮには、ダイヤルインというサービスがある。このダイヤルイン・サービスを利用すると、１つの電話回線に複数台の端末装置を接続して、各端末に別々の電話番号を付与することができる。これにより、それぞれの電話番号の着信に対して、対応した端末装置が別々に応答して通信することができる。
【０００３】
特開平５−１４５６８２号公報には、このようなダイヤルイン・サービスを利用するファクシミリ装置が開示されている。このファクシミリ装置の場合、内蔵電話機に１つの電話番号、ファクシミリ装置として別の電話番号を付与するようにしている。
【０００４】
これにより、上記ファクシミリ装置が、１つの電話番号で着信した場合、ユーザが電話機で応答して通話することができ、別の電話番号で着信した場合、ファクシミリ装置が自動応答して所定のファクシミリ通信を実行するようになる。
【０００５】
ところで、ダイヤルイン・サービスを利用する場合、着信時には、まず応答して電話局側から送信される内線指定の番号情報を受信して、一旦回線切断する。そして、再度応答して所定の通信を開始するというように、通常とは異なる回線制御が必要である。
【０００６】
上記提案のファクシミリ装置では、このような回線制御をＣＰＵの監視制御のもとで実行している。このため、ＣＰＵに、常時動作電源を供給していた。
【０００７】
このような動作電源には、通常１００Ｖの商用電源を使用する。ところが、商用電源は、事故などにより停電することがある。電源が停電すると、ＣＰＵが動作不能になる。
【０００８】
従って、上記提案のファクシミリ装置は、停電時に着信した場合、ＣＰＵによる所定の回線制御が実行できなくなっていた。このため、例えば、電話機への着信時でも、ユーザが通常どおり電話機をオフフックしただけでは、相手先と通話できなかった。
【０００９】
この場合、ユーザが、電話機をオフフックしたあと一旦オンフックし、再度オフフックするというように、手動操作で上記回線制御を実行すれば、通話することができる。しかし、そのような操作を実行するためには、ユーザは、停電中であることを認識したり、予め回線制御の操作手順を憶えておかなくてはならない。従って、操作が難しくなるという不都合がある。
【００１０】
ところで、停電時でも上記所定の回線制御を実行するために、ＣＰＵの動作電源をバッテリーによりバックアップする方法が考えられる。しかし、その場合、停電期間中継続してＣＰＵに電源供給しなければならず、大容量のバッテリーが必要になる。このため、装置コストが高くなり、装置も大形化してしまうという不都合が起こる。
【００１１】
以上のような不都合は、ファクシミリ装置に限らず、他の通信端末装置でダイヤルインサービスを利用する場合でも同様に発生していた。
【００１２】
【発明が解決しようとする課題】
このように、従来の通信端末装置は、ダイヤルイン・サービスを利用する場合、停電時には電話着信の応答でさえ操作が難しくなっていた。また、操作を簡単にしようとすると、装置コストの上昇や装置の大形化という別の問題が発生していた。
【００１３】
本発明の目的は、停電中でも電話着信に容易に応答できるようにすると共に、装置コストの上昇や装置の大形化を防止することである。
【００１４】
【課題を解決するための手段】
本願の請求項１に係る発明は、着信時に、制御部を有する通信端末装置と複数の電話機へのダイヤルイン・サービスの回線制御を実行して、交換局側から受ける内線指定に従って前記通信端末装置のデータ通信動作を起動、または前記電話機への着信を報知して備え付けの電話機のオフフックにより通話状態に制御する通信端末のダイヤルイン回線接続装置において、商用電源の停電を検出する停電検出回路と、前記停電検出回路による停電検出時の着信時にダイヤルイン・サービスの回線制御を実行するダイヤラＣＰＵと、電話回線から受信する呼び出し信号の交流電源を整流し平滑化した直流電源を前記ダイヤラＣＰＵに供給する平滑回路と、前記停電検出回路による停電検出時に前記ダイヤラＣＰＵからの指令に基づきに前記ダイヤラＣＰＵにのみ電源を供給するバッテリーとを備え、前記ダイヤラＣＰＵは、電話回線から前記平滑回路を介して供給される直流電源により動作して、前記停電検出回路が商用電源の停電を検出すると、前記バッテリーより電源の供給を受けて、前記通信端末装置を除く複数の電話機へのダイヤルイン・サービスの回線制御を実行し、電話機のオフフックにより、前記バッテリーからの電源の供給を停止することを特徴とする。
【００１６】
請求項２では、停電時、前記ダイヤラＣＰＵが着信を検知して動作を開始する前に前記電話機がオフフックされた場合でも、前記ダイヤラＣＰＵは、前記ダイヤルイン・サービスの回線制御を実行して前記電話機を通話状態に制御することを特徴とする。
【００１７】
請求項３では、停電時、ダイヤルイン・サービスの内線指定が通信端末装置であった場合、代行動作として電話着信を報知して備え付けの電話機のオフフックにより通話状態に制御することを特徴とする。
【００１８】
請求項４では、前記代行動作を実行するかしないかを予め設定する手段を備え、前記代行動作を実行しない場合には、着信に応答しないことを特徴とする。
【００１９】
請求項５では、前記停電期間中の着信の報知は、前記バッテリーにて小さい電力で動作するブザーを鳴動させることにより実行することを特徴とする。
【００２０】
【作用】
請求項１に係る発明に依れば、停電時、ダイヤラＣＰＵが電話回線から前記平滑回路を介して供給される直流電源により動作することにより、平常時におけるバッテリーの消耗がない。また、前記停電検出回路が商用電源の検出を検出すると、前記バッテリーより電源の供給を受けて、消費電力の少ないダイヤラＣＰＵが前記通信端末装置を除く複数の電話機へのダイヤルイン・サービスの回線制御を実行するので、バッテリーの消耗を少なく押さえることが出来る。さらに、電話機のオフフックによりバッテリーからの電源の供給を停止するので、バッテリーの電力消費時間をより少なくし、バッテリーを小容量化することができ、装置コストの上昇や装置の大形化を防止することができるすることが出来る。
【００２２】
請求項２に係る発明に依れば、着信時に、装置が着信を検知して動作を開始する前に、ユーザが電話機をオフフックしてしまった場合でも、所定の回線制御が自動的に実行されるので、ユーザの応答操作が容易になる。
【００２３】
請求項３に係る発明に依れば、停電期間中に着信して、内線指定が通信端末装置であった場合、代行動作として、電話機で応答することができるので、発呼側ユーザが、手動操作で発信していたり、着呼側の応答をモニタ音として聞いていたりする場合、着呼側ユーザが、発呼側ユーザにデータ通信できない旨を音声で通知することができる。
【００２４】
請求項４に係る発明に依れば、上記代行動作を必要に応じて任意に実行することができ、実行しない場合には、着信に応答しないので、相手先に通信料金が課金されなくなる。
【００２５】
請求項５に係る発明に依れば、上記電話着信の報知には、小さい電力で動作するブザーを使用するようにしたので、停電時のバッテリーの電力消費を低減することができる。
【００２６】
【実施例】
以下、添付図面を参照しながら、本発明の実施例を詳細に説明する。
【００２７】
図１は、本発明の一実施例に係るファクシミリ装置のブロック構成図を示したものである。図において、電話回線１は、ファクシミリ装置２に接続され、そのファクシミリ装置２には、外付電話機３と、ブザー４とが接続されている。電話回線１は、通信事業者との所定の契約により、ダイヤル・インサービスを受ける回線である。
【００２８】
ファクシミリ装置２は、図示せぬ１００Ｖの商用電源を使用するものである。外付電話機３は、通常の電話機である。従って、着信を報知するベルを内蔵しているが、ブザー４は、その内蔵ベルとは別に、停電時の着信報知用に配設されている。外付電話機３とブザー４は、ファクシミリ装置２から離れた同一場所に配設されている。
【００２９】
ファクシミリ装置２内おいて、切換回路Ｓ１〜Ｓ３、スイッチＳ４、およびフックスイッチＳ５は、装置内で電話回線１のラインを開閉あるいは切換接続するものである。直流検出回路２０１は、この装置内のいずれかの回路が電話回線１に対して直流ループを形成しているかどうか、すなわちフック状態を検出するものである。モデム２０２は、電話回線１を介して画情報を送受信するものである。このモデム２０２は、ＤＴＭＦ（Ｄｕａｌ  Ｔｏｎｅ  Ｍｕｌｔｉ−Ｆｒｅｑｕｅｎｃｙ）を受信する機能も有している。
【００３０】
極性反転検出回路２０３は、電話回線１の２線間の直流電圧の極性反転を検出するものである。スキャナ２０４は、原稿画像を読み取るものである。プロッタ２０５は、画像を記録紙に記録するものである。操作表示部２０６は、ユーザが各種操作を実行する一方、装置が動作状態などを表示するものである。メモリ２０７は、画情報を一時格納するものである。
【００３１】
リンギング検出回路２０８は、電話回線１から受信する呼出信号を検出するものである。直流供給回路２０９は、外付電話機３に直流電圧を印加するものである。電話機駆動回路２１０は、外付電話機３に内蔵されているベルを鳴動させるものである。直流検出回路２１１は、電話機駆動回路２１０から外付電話機３への直流電圧の印加中に、外付電話機３のフック状態を検出するものである。
【００３２】
通話回路２１２と送受話器２１３は、ファクシミリ装置２の内蔵電話機を構成してている。通話回路２１２はその信号回路、送受話器２１３はユーザが手に持つ送話器と受話器である。直流検出回路２１４は、上記内蔵電話機のフック状態を検出するものである。平滑回路２１５は、電話回線１から受信する呼出信号の交流電圧を整流し平滑化した直流電力を出力するものである。
【００３３】
ＤＴＭＦ検出回路２１６は、ＤＴＭＦ信号を受信するものである。直流検出回路２１７は、電話回線１に対する外付電話機３のフック状態を検出するものである。直流ループ閉結回路２１８は、電話回線１に対して直流ループを形成して、オフフック状態にするものである。リンギング検出回路２１９は、電話回線１から受信する呼出信号を検出するものである。
【００３４】
バッテリー２２０は、商用電源の停電時に装置動作用の電源として使用するものである。停電検出回路２２１は、商用電源の停電を検出するものである。操作部２２２は、停電時の電話回線１の動作条件を予め登録したり、発信時にダイヤル番号を入力したりするものである。ブザー２２３は、停電時に着信を報知するものである。
【００３５】
システム制御部２２４は、以上の各回路あるいは各装置の内、ファクシミリ通信に関係するものを制御するものである。ダイヤラＣＰＵ２２５は、本来、発信時の回線制御やダイヤル信号の送出用に配設されているものであるが、本実施例では、それらの制御のほか、停電中の着信時にダイヤルイン・サービスの回線制御などを実行するものである。
【００３６】
スイッチＳ６は、停電中の一定期間、バッテリー２２０からダイヤラＣＰＵ２２５に電源供給するものである。なお、ブザー２２３およびブザー４は、外付電話機３に内蔵のベルに比べて、低電圧・少電流の直流電源で鳴動するものである。
【００３７】
以上の構成で、本実施例のファクシミリ装置２内には、上記ハードウェアにより、図２に示すように、ファクシミリ通信手段２ａと内蔵電話機２ｂとダイヤルイン回線制御手段２ｃとが構成されている。ダイヤルイン回線制御手段２ｃは、ダイヤルイン・サービスに対応した着信動作を実行するものである。
【００３８】
ここで、ダイヤルイン・サービスとその着信動作の概要を説明する。
【００３９】
本実施例では、電話回線１のダイヤルイン契約で、３つの電話番号Ｘ，Ｙ，Ｚを付与してもらう。ユーザは、ファクシミリ装置２内のファクシミリ通信手段２ａと内蔵電話機２ｂと外付電話機３との３つの通信手段のそれぞれに、３つの電話番号Ｘ，Ｙ，Ｚを割り付ける。
【００４０】
よそから、このファクシミリ装置２に発呼する場合、発呼側は、電話番号Ｘ，ＹまたはＺをダイヤルする。これにより交換局からファクシミリ装置２が呼出されて、ファクシミリ装置２が応答する。このとき、ダイヤルイン回線制御手段２ｃが、所定の回線制御を実行し、応答すべき１つの通信手段が応答して所定の通信を実行するようになる。
【００４１】
なお、本実施例では、商用電源の停電中には、内蔵電話機２ｂまたは外付電話機３の通信のみ可能とし、ファクシミリ通信手段２ａは通信しないことにしている。
【００４２】
次に、ファクシミリ装置２を使用する前に予め実行する登録処理を説明する。
【００４３】
本実施例では、ユーザは、ファクシミリ装置２に、まずダイヤルイン・サービスを利用するかしないかを登録する。利用する場合には、次に、ファクシミリ装置２のファクシミリ通信手段２ａと内蔵電話機２ｂと外付電話機３との３つの通信手段のそれぞれに対して、ダイヤルイン契約で付与された３つの電話番号Ｘ，Ｙ，Ｚを登録する。また、停電中にファクシミリ通信の着信があった場合に、電話機で代行応答するのかしないのかを登録する。さらに代行応答する場合には、その代行応答を内蔵電話機２ｂで実行するのか、外付電話機３で代行応答するのかを登録する。これらの登録処理は、操作部２２２の所定操作で実行する。
【００４４】
次に、商用電源が正常な場合のファクシミリ装置２の着信動作を説明する。
【００４５】
ファクシミリ装置２は、通信相手先の電話機またはファクシミリ装置から発呼され、ＰＳＴＮの交換局を介して着呼する。このとき、図３に示すように、まず、電話回線１の２本のラインＬ１，Ｌ２の電圧極性が反転し、その後、交換局から呼出信号が送出される。
【００４６】
ファクシミリ装置２の初期状態には、切換回路Ｓ１〜Ｓ５は、いずれも一方の接点ａ側に接続されている。上記呼出信号は、電話回線１から切換回路Ｓ１，Ｓ２，Ｓ４，フックスイッチＳ５および切換回路Ｓ３を順次経由して外付電話機３に入力される。このとき、リンギング検出回路２０８が呼出信号を検知する。この呼出信号の検知により、システム制御部２２４は着信を判定して、切換回路Ｓ１を他方の接点ｂ側に切り換える。これにより、電話回線１の直流ループが形成され、着呼に対する応答が実行される。この応答は、ダイヤルインの回線制御の一次応答である。
【００４７】
この後、交換局から、ＤＴＭＦ信号により内線指定の番号情報、すなわち前記番号情報Ｘ，ＹまたはＺが送出される。
【００４８】
本実施例では、モデム２０２がその番号情報を受信する。システム制御部２２４は、受信した番号情報を読み取った後、切換回路Ｓ１を接点ａ側に戻す。これにより、電話回線１の直流ループが切断され、交換局に対して、上記番号情報の受信完了が通知される。
【００４９】
次いで、システム制御部２２４は、受信した上記番号情報により、ファクシミリ通信手段２ａへの着信か、内蔵電話機２ｂへの着信か、外付電話機３への着信かを判別する。
【００５０】
ファクシミリ通信手段２ａへの着信であった場合、切換回路Ｓ１を再度接点ｂ側に切り換える。そして、ファクシミリの所定の通信動作を実行する。切換回路Ｓ１を接点ｂ側に切り換えることにより、電話回線１に対して再度直流ループが形成される。これにより、交換局に対して、ダイヤルインの回線制御の二次応答が実行される。この二次応答の後、交換局により電話回線１の電圧極性が復極される。
【００５１】
そして、ファクシミリ通信手段２ａによるファクシミリ通信が開始する。この場合、例えば、モデム２０２が伝送制御を実行しながら、画情報を受信し、システム制御部２２４が受信した画情報をプロッタ２０５で記録出力する。
【００５２】
一方、内蔵電話機２ｂへの着信であった場合、システム制御部２２４はダイヤラＣＰＵ２２５に所定の制御情報を送出し、ダイヤラＣＰＵ２２５は、ブザー２２３を鳴動させる。ユーザは、ブザー音を聞いて送受話器２１３を持ち上げる。フックスイッチＳ５は、送受話器２１３に連動するフックスイッチであり、上記操作により、接点ｂ側に切り換わる。これにより、通話回路２１２が動作して、ユーザが送受話器２１３で相手先と通話可能になる。
【００５３】
また、外付電話機３への着信であった場合、ダイヤラＣＰＵ２２５は、ブザー４を鳴動させる。ユーザは、ブザー音を聞いて外付電話機３をオフフックする。このとき、外付電話機３は電話回線１に接続されているので、相手先と通話可能になる。
【００５４】
上記それぞれの通信が終了すると、切換回路Ｓ１，Ｓ２，Ｓ４，フックスイッチＳ５および切換回路Ｓ３が初期状態に戻されて、通信動作を終了する。
【００５５】
次に、商用電源停電中のファクシミリ装置２の着信動作を説明する。
【００５６】
図４および図５は、この場合の着信動作を示している。すなわち、ファクシミリ装置２に、着信した場合、平滑回路２１５は交流信号である呼出信号を整流・平滑して直流電力を出力する。ダイヤラＣＰＵ２２５は、その直流電力により起動し（処理１００１）、停電中かどうか判別する（処理１００２）。商用電源の停電は、停電検出回路２２１により検出される。
【００５７】
ダイヤラＣＰＵ２２５は、停電中であることを判定すると（処理１００２のＹ）、スイッチＳ６を閉じて、バッテリー２２０から電源供給を受ける（処理１００３）。この後、呼出信号がまだ継続して受信しているかどうか判別する（処理１００４）。通常、呼出信号は、着呼側が応答するまで継続して受信する。
【００５８】
呼出信号を継続して受信している場合には（処理１００４のＹ）、ダイヤルインの回線制御が必要かどうか判別する（処理１００５）。すなわち、前記登録処理で、ダイヤルイン・サービスを利用する旨が登録されている場合、回線制御が必要と判別する。この場合（処理１００５のＹ）、外付電話機３のフック状態を判別する（処理１００６）。外付電話機３のフック状態は、直流検出回路２１７により検出される。
【００５９】
ここで、外付電話機３のフック状態を判別するのは、受信した呼出信号により外付電話機３か鳴動するので、外付電話機３が、ユーザによってオフフックされていないかどうかを判別するためである。
【００６０】
外付電話機３がオフフックされておらず、オンフック状態にある場合（処理１００６のＹ）、図３で説明した回線制御を実行する。すなわち、直流ループ閉結回路２１８により電話回線１に対して直流ループを形成し、交換局に対して一次応答する（処理１００７）。次いで、ＤＴＭＦ検出回路２１６により交換局から内線指定の番号情報を受信する（処理１００８）。そして、スイッチＳ４を開いて直流ループを切断し、受信完了を通知する（処理１００９）。
【００６１】
次に、受信した番号情報により、ファクシミリ通信手段２ａへの着信か、内蔵電話機２ｂへの着信か、外付電話機３への着信かを判別する（処理１０１０）。
【００６２】
内蔵電話機２ｂへの着信であった場合（処理１０１０の「内蔵電話」）、ブザー２２３を鳴動し（処理１０１１）、送受話器２１３のオフフックと時間経過を監視する（処理１０１２、処理１０１２のＮより処理１０１３、処理１０１３のＮより処理１０１２へ）。送受話器２１３のフック状態は、直流検出回路２１４で検出される。
【００６３】
ユーザは、そのブザー音を聞いて送受話器２１３をオフフックする。これにより、フックスイッチＳ５が切り換わり相手先との通話が可能になる。
【００６４】
このように、送受話器２１３がオフフックされると（処理１０１２のＹ）、ブザー２２３の鳴動を停止する（処理１０１４）。また、予め設定された一定時間経過しても、送受話器２１３がオフフックされない場合（処理１０１３のＹ）、同様にブザー２２３の鳴動を停止する（処理１０１４）。
【００６５】
そして、スイッチＳ６を開いてバッテリー２２０からダイヤラＣＰＵ２２５への電源供給を停止する（処理１０１５）。この後、通話が終って、送受話器２１３がオンフックされると、ファクシミリ装置２が初期状態に復帰する。
【００６６】
一方、外付電話機３への着信であった場合（処理１０１０の「外付電話」）、ブザー４を鳴動し（処理１０１１）、外付電話機３のオフフックと時間経過を監視する（処理１０１７、処理１０１７のＮより処理１０１８、処理１０１８のＮより処理１０１７へ）。外付電話機３のフック状態は、直流検出回路２１７で検出される。
【００６７】
ユーザは、そのブザー音を聞いて外付電話機３をオフフックする。これにより、相手先との通話が可能になる。
【００６８】
このように、外付電話機３がオフフックされると（処理１０１７のＹ）、ブザー４の鳴動を停止する（処理１０１９）。また、予め設定された一定時間経過しても、外付電話機３がオフフックされない場合（処理１０１８のＹ）、同様にブザー４の鳴動を停止する（処理１０１９）。
【００６９】
そして、上記と同様に、バッテリー２２０の電源供給を停止する（処理１０１５）。この後、通話が終って、外付電話機３がオンフックされると、ファクシミリ装置２が初期状態に復帰する。
【００７０】
一方、ファクシミリ通信手段２ａへの着信であった場合（処理１０１０の「ＦＡＸ」）、登録情報により代行応答の要否を判別する（処理１０１６）。すなわち、前記登録処理で、電話機で代行応答する旨が登録されている場合（処理１０１６のＹ）、それが内蔵電話機２ｂであるか外付電話機３であるか判別する（処理１０２１）。
【００７１】
ここで、内蔵電話機２ｂが指定されている場合（処理１０２１の「内蔵電話」）、上記処理１０１１以降を同様に実行する。また、外付電話機３が指定されている場合（処理１０２１の「外付電話」）、上記処理１０１６以降を同様に処理する。
【００７２】
これにより、ファクシミリ装置からの発呼に対して、ユーザは電話で応答することができる。普通、ファクシミリ装置には、発呼の際に受信音をスピーカから出力するモニタ機能が備えられている。従って、着呼側ユーザの送話音声は、発呼側ファクシミリ装置のスピーカから出力され、発呼側ユーザにメッセージを伝えることができる。また、発呼側ユーザが電話機で手動発信している場合にも、その相手先にメッセージを伝えることができる。
【００７３】
一方、代行応答しない旨が登録されている場合（処理１０１６のＮ）、応答しないでそのまま終了する（処理１０１５へ）。
【００７４】
ところで、呼出信号の受信開始後、ダイヤラＣＰＵ２２５の制御によって一次応答するまでの短い時間、外付電話機３が鳴動する。これにより、ユーーザが外付電話機３をオフフックしてしまうことがある。
【００７５】
この場合（処理１００６のＮ）、前記一次応答なしに、内線指定の番号情報を受信する（処理１０２２）。そして、スイッチＳ４を開いて直流ループを切断し、受信完了を通知する（処理１０２３）。この後、予め設定した一定時間おいて（処理１０２４）、再度スイッチＳ４を閉じて直流ループを形成する（処理１０２５）。これにより、ダイヤルインの回線制御の二次応答が実行され、外付電話機３で相手先との通話が可能になる。
【００７６】
この場合、直ちにバッテリー２２０の電源供給を停止して制御動作を終了する（処理１０１５へ）。
【００７７】
ところで、以上の動作は、ダイヤルイン・サービスを受ける場合の動作である。本実施例のファクシミリ装置２は、ダイヤルイン・サービスを受けない通常の電話回線でも使用することができる。
【００７８】
通常の電話回線で使用する場合には、最初の登録処理で、ユーザは、ダイヤルイン・サービスを利用しない旨を登録しておく。
【００７９】
停電中の着信時に、ダイヤルイン・サービスを利用しない旨が登録されている場合（処理１００５のＮ）、ブザー２２３を鳴動し（処理１０２６）、呼出信号が停止するまで待つ（処理１０２７のＮのループ）。このときの呼出信号は、リンギング検出回路２１９により検出される。
【００８０】
ユーザは、ブザー音を聞いて、送受話器２１３をオフフックする。これにより、相手先と通話可能になる。
【００８１】
送受話器２１３がオフフックされると、呼出信号が停止する。呼出信号が停止すると（処理１０２７のＹ）、ブザー２２３の鳴動を停止し（処理１０２８）、上記と同様に動作を終了する（処理１０１５へ）。
【００８２】
なお、上記最初の動作で、停電中でなかった場合（処理１００２のＮ）、そのまま動作を終了する。すなわち、この場合、前述したシステム制御部２２４側の制御動作が実行されることになる。
【００８３】
以上のように、本実施例では、商用電源が正常か停電中かという電源状態に拘らず、着信時には、所定のダイヤルイン・サービスの回線制御を実行し、交換局から受ける内線指定が、内蔵電話機２ｂや外付電話機３の場合には、電話着信を報知して、該当する電話機のオフフックにより通話状態に制御するようにしている。これにより、停電中でも、ユーザは、電話機への着信に容易に応答して通話することができるようになる。
【００８４】
また、本実施例では、上記回線制御を実行するダイヤラＣＰＵ２２５に動作電源を供給するバッテリー２２０を備えているが、そのバッテリー２２０は、商用電源の正常時および停電期間中の着信待機時には使用せず、着信時にダイヤルイン・サービスの回線制御を実行する一定期間中だけ使用するようにしている。また、停電中には、ファクシミリ通信手段２ａで通信しないようにしている。
【００８５】
従って、停電期間中にバッテリー２２０から継続的に電源供給しなくてもよい。また、ファクシミリ通信手段２ａに必要な大電力が不要になる。これにより、バッテリー２２０は小容量のもので済み、装置コストを低減する共に、装置を小形化することができる。
【００８６】
また、内蔵電話機２ｂと外付電話機３とを備え付け、交換局から受ける内線指定に従って、それら２台を個々に接続するようにしたので、装置をより便利に使用することができる。
【００８７】
さらに、着信時に、ダイヤラＣＰＵ２２５の制御動作が開始する前に、ユーザが外付電話機３をオフフックしてしまった場合でも、所定のダイヤルイン・サービスの回線制御を実行して、外付電話機３を通話状態に制御するようにしている。これにより、ユーザは、手動操作で回線制御を実行しなくてもよいため、応答操作が容易になる。
【００８８】
さらには、停電期間中にファクシミリ通信手段２ａに着信した場合、内蔵電話機２ｂあるいは外付電話機３で代行応答できるようにしたので、着呼側ユーザが、発呼側ユーザにメッセージを伝えることができる。
【００８９】
また、上記代行応答を実行するかしないかを予め設定しておく手段を備え、代行応答しない場合には、着信に応答しないようにしている。これにより、メッセージを伝える必要がない場合や、相手先ファクシミリ装置に受信音声をモニタする機能がない場合、着信に応答しないことにより、相手先に通信料金が課金されなくなる。
【００９０】
さらに、電話着信を報知するブザー２２３やブザー４は、外付電話機３内蔵のベルと比べて小さい電力で動作するものを使用している。これにより、停電時のバッテリー２２０の電力消費を低減することができる。
【００９１】
なお、以上の実施例では、停電期間中に、ファクシミリ通信手段２ａに着信してもファクシミリ通信手段２ａで通信しないようにしたが、バッテリー２２０の容量に余裕があれば、バッテリー２２０からファクシミリ通信手段２ａのハードウェアに電源供給し、平常時と同様に、ファクシミリ通信手段２ａでも通信することができる。
【００９２】
また、１回線でファクシミリ通信手段２ａと内蔵電話機２ｂと外付電話機３という３種類の通信手段を使い分けるようにしたが、ファクシミリ通信手段を２つ以上、電話機を３つ以上備えて、それらを使い分けるようにしてもよい。
【００９３】
さらに、以上の実施例では、ファクシミリ装置を例にとって説明したが、本発明は、ファクシミリ装置に限らず、電話機を備えた各種データ通信端末装置に同様に適用することができる。
【００９４】
【発明の効果】
以上のように、本願発明によれば、動作電源を供給するバッテリーとダイヤラーＣＰＵを備え、そのバッテリーからダイヤラーＣＰＵには、外部から供給される電源の正常時、および停電期間中の着信待機時には電源供給せず、停電期間中の着信時にダイヤルイン・サービスの回線制御を実行する際の一定期間中だけ電源供給するようにしたので、停電中でも、ダイヤルイン・サービスの回線制御が実行され、ユーザは、電話着信に容易に応答して通話することができるようになると共に、バッテリーから通信端末装置には電力を供給することなく、ダイヤラーＣＰＵに着信時の回線制御を実行する期間中だけ電源供給するようにしたので、備えるバッテリーは小容量のもので済み、装置コストの上昇や装置の大形化を防止することができる。
【図面の簡単な説明】
【図１】本発明の一実施例に係るファクシミリ装置の回路構成図である。
【図２】上記ファクシミリ装置の機能ブロック構成図である。
【図３】着信時のファクシミリ装置と交換局間の通信手順の説明図である。
【図４】上記ファクシミリ装置の着信動作の一部分を示すフローチャートである。
【図５】上記ファクシミリ装置の着信動作の他の部分を示すフローチャートである。
【符号の説明】
１  電話回線
２  ファクシミリ装置
２ａ  ファクシミリ通信手段
２ｂ  内蔵電話機
２ｃ  ダイヤルイン回線制御手段
３  外付電話機
４，２２３  ブザー
２０１，２１１，２１４，２１７  直流検出回路
２０２  モデム
２０３  極性反転検出回路
２０４  スキャナ
２０５  プロッタ
２０６  操作表示部
２０７  メモリ
２０８，２１９  リンギング検出回路
２０９  直流供給回路
２１０  電話機駆動回路
２１２  通話回路
２１３  送受話器
２１５  平滑回路
２１６  ＤＴＭＦ検出回路
２１８  直流ループ閉結回路
２２０  バッテリー
２２１  停電検出回路
２２２  操作部
２２４  システム制御部
２２５  ダイヤラＣＰＵ
Ｓ１，Ｓ２  切換回路
Ｓ４，Ｓ６  スイッチ
Ｓ５  フックスイッチ
【図１】
0003642586.tif 000002
【図２】
0003642586.tif 000003
【図３】
0003642586.tif 000004
【図４】
0003642586.tif 000005
【図５】
0003642586.tif 000006